(57)【要約】 本発明は、ボードカイティング用着席ボードに係り、その目的は、着席凹部を有する着席ボードを耐久性が優れる材質からなり、ライダーに楽なカイティングを楽しむようにするボードカイティング用着席ボードを提供することにある。本発明は、ライダーが着席する着席凹部が上部中央に形成され、カイトが固定されて推進力を提供する、小型ボート状の着席ボードにおいて、前記着席ボードは、発泡スチロール材質からなる胴体と、前記胴体の外部対象物との衝突に起因する破損を防止するために、前記胴体の外表面に形成され、ファイバーグラス材質からなる樹脂層と、前記カイトを固定するために前記着席凹部に摺動可能に設けられたカイト固定手段と、を含むことを特徴とする。
2007520384.tif 000002
【特許請求の範囲】
【請求項１】
ライダーが着席する着席凹部（１１）が上部中央に形成され、カイトが固定されて推進力を提供する、小型ボート状の着席ボード（１００）において、
前記着席ボード（１００）は、
発泡スチロール材質からなる胴体（１０）と、
前記胴体(body)（１０）の外部対象物との衝突に起因する破損を防止するために、前記胴体（１０）の外表面に形成され、ファイバーグラス材質からなる樹脂層（２０）と、
前記カイトを固定するために前記着席凹部（１１）に摺動可能に設けられたカイト固定手段（３０）と、を含むことを特徴とするボードカイティング用着席ボード。
【請求項２】
ライダーが着席する着席凹部（１１）が上部中央に形成され、カイトが固定されて推進力を提供する、小型ボート状の着席ボード（１００）において、
前記着席ボード（１００）は、
発泡スチロール材質からなる胴体（１０）と、
前記胴体（１０）の外部対象物との衝突に起因する破損を防止するために、前記胴体（１０）の外表面に形成され、ファイバーグラス材質からなる樹脂層（２０）と、
前記着席凹部（１１）に固定され、摺動溝（３１ａ）が長手方向に沿って形成されている固定バー（３１）と、
下部が前記摺動溝（３１ａ）に移動可能に結合されており、上端部に結合孔（３２ａ）が形成されている移動部材（３２）と、
帆が長手方向に沿って結合されており、端部が前記移動部材（３２）の結合孔（３２ａ）に着脱可能に設けられているマスト（４０）と、を含むことを特徴とするボードカイティング用着席ボード。
【請求項３】
前記カイト固定手段（３０）は、
摺動溝（３１ａ）が長手方向に沿って形成されている固定バー（３１）と、
下部が前記摺動溝（３１ａ）に移動可能に結合されており、上端部に結合孔（３２ａ）が形成されている移動部材（３２）と、
一端が前記移動部材（３２）の結合孔（３２ａ）に螺止めされ、他端が前記カイトに連結されるフック部材（３３）と、を備えてなることを特徴とする請求項１に記載のボードカイティング用着席ボード。
【請求項４】
前記着席凹部（１１）にエアチューブよりなる背中支え（１２）が設置されることを特徴とする請求項１または２に記載のボードカイティング用着席ボード。
【請求項５】
前記着席凹部（１１）の内側に、外部の水を受容して循環できるようにする貫通ホール（１３）が穿孔されることを特徴とする請求項１または２に記載のボードカイティング用着席ボード。
【請求項６】
前記着席凹部（１１）の前部（front portion）又は後部（back portion）のどちらか一方に空間部（１４）が形成されることを特徴とする請求項１または２に記載のボードカイティング用着席ボード。
【請求項７】
前記胴体（１０）の底面に屈曲部（１５）が長手方向に沿って形成されることを特徴とする請求項１または２に記載のボードカイティング用着席ボード。
【請求項８】
前記胴体（１０）の底面が平坦になっており、前面 (front surface) を上向きにすることを特徴とする請求項１または２に記載のボードカイティング用着席ボード。
【発明の詳細な説明】
【技術分野】
【０００１】
本発明は、ボードカイティング用着席ボードに係り、より詳しくは、本出願人が先出願した韓国特許出願番号３００３-２８６８８号の「着席ボードを有するカイトシステム」からの着席ボードの改良発明に関するものである。
【背景技術】
【０００２】
図１は、従来の着席ボードを有するカイトシステムを説明するための図面であり、これは本出願人が先出願した明細書上の図面を抜粹して示したものであり、下記の請求範囲第１項に記載してその内容を説明すると次のようである。図１に示すように、「ライダー用カイトセイルボードシステムにおいて、ａ）上面、下面及び前記上面上に開口部を形成する空洞を具備して、前記空洞には着席面１ａがあり、前記ライダーが前記着席面１ａ上に着席する着席ボード１と；ｂ）カイト２と；ｃ）前記カイト２に連結される一つ以上の連結紐２ａを具備して、前記ライダーが前記連結紐２ａを持って前記着席ボード１の移動を制御して、前記カイト２は前記ライダーと着席ボード１に推進力を提供することを特徴とするカイトセイルボードシステム」に記載されている。
【０００３】
上記のように構成されたカイトセイルボードシステムは、着席ボード１の着席面１ａにライダーが乗った状態でカイト２によって推進力が提供され着席ボード１が前進するようになる。
【０００４】
しかし、従来の先出願した明細書上には着席ボード１が単純に搭乗者が着席する着席面１ａが示しているだけであって、カイトの固定手段などは示していない。
【発明の開示】
【発明が解決しようとする課題】
【０００５】
本発明は、このような従来の問題点を解決するためになされたもので、その目的は、着席凹部を有する着席ボードを耐久性が優れる材質からなり、ライダーに楽なカイティングを楽しむようにするボードカイティング用着席ボードを提供することにある。
【課題を解決するための手段】
【０００６】
上記目的を達成するために、本発明は、ライダーが着席する着席凹部が上部中央に形成され、カイトが固定されて推進力を提供する、小型ボート状の着席ボードにおいて、前記着席ボードは、発泡スチロール材質からなる胴体と、前記胴体の外部対象物との衝突に起因する破損を防止するために、前記胴体の外表面に形成され、ファイバーグラス材質からなる樹脂層と、前記カイトを固定するために前記着席凹部に摺動可能に設けられたカイト固定手段と、を含むことである。
【０００７】
また、ライダーが着席する着席凹部が上部中央に形成され、カイトが固定されて推進力を提供する、小型ボート状の着席ボードにおいて、前記着席ボードは、発泡スチロール材質からなる胴体と、前記胴体の外部対象物との衝突に起因する破損を防止するために、前記胴体の外表面に形成され、ファイバーグラス材質からなる樹脂層と、前記着席凹部に固定され、摺動溝が長手方向に沿って形成されている固定バーと、下部が前記摺動溝に移動可能に結合されており、上端部に結合孔が形成されている移動部材と、帆が長手方向に沿って結合されており、端部が前記移動部材の結合孔に着脱可能に設けられているマストと、を含むことである。
【０００８】
また、前記カイト固定手段は、摺動溝が長手方向に沿って形成されている固定バーと、下部が前記摺動溝に移動可能に結合されており、上端部に結合孔が形成されている移動部材と、一端が前記移動部材の結合孔に螺止めされ、他端が前記カイトに連結されるフック部材と、を備えてなることである。
【０００９】
また、前記着席凹部にエアチューブよりなる背中支えが設置されることである。
【００１０】
また、前記着席凹部の内側に、外部の水を受容して循環できるようにする貫通ホールが穿孔されることである。
【００１１】
また、前記着席凹部の前部（front portion）又は後部（back portion）のどちらか一方に空間部が形成されることである。
【００１２】
また、前記胴体の底面に屈曲部１５が長手方向に沿って形成されることである。
【００１３】
また、前記胴体の底面が平坦になっており、前面（front surface）を上向きにすることである。
【発明を実施するための最良の形態】
【００１４】
以下、本発明の好適な実施例を添付図面に基づいて詳細に説明する。
【００１５】
図２乃至図７は、本発明による着席ボードを示す図である。
【００１６】
図示したように着席ボード１００は、ライダーが着席する着席凹部１１が上部中央に形成され、カイト（図示せず）が固定されて推進力を提供する、小型ボート状の着席ボード１００において 、前記着席ボード１００は、発泡スチロール材質からなる胴体１０と、前記胴体１０の外部対象物との衝突に起因する破損を防止するために、前記胴体１０の外表面に形成され、ファイバーグラス材質からなる樹脂層２０と、前記カイトを固定するために前記着席凹部１１に摺動可能に設けられたカイト固定手段３０と、から構成されている。
【００１７】
前記カイト固定手段３０は、摺動溝３１ａが長手方向に沿って形成されている固定バー３１と、下部が前記摺動溝３１ａに移動可能に結合されており、上端部に結合孔３２ａが形成されている移動部材３２と、前記移動部材３２の結合孔３２ａに螺合され端部に前記カイトと連結されるフック部材３３と、を備えてなる。
【００１８】
すなわち、フック部材３３の端部にカイトの連結紐を固定すると、前記フック部材３３が結合された移動部材３２が固定バー３１の摺動溝３１ａに沿って摺動されながら着席ボード１００に推進力を提供するようになる。
【００１９】
前記着席ボード１００は、搭乗者が座った状態で容易に安全に水上スポーツを楽しむように荒々しい波にも転覆されないように広く形成され、着席凹部１１もライダーが着席した時、中心点（Central of Gravity）の位置が充分に腹部の下部に位置するように着席凹部１１を深く形成する。
【００２０】
また、長時間航海する時、両足の力で方向を調整するのでライダーの背中部位が疲れるので、これを防止するために前記着席ボード１００の着席凹部１１にエアチューブよりなる背中支え１２を設置して背中部位を支えることができるし、航海中に休息する時には背中支え１２を枕にも活用することができる。
【００２１】
また、前記着席ボード１００の着席凹部１１の内側に外部の水を受容して循環できるようにする貫通ホール１３が形成され、着席凹部１１に一定な量の水が充填されるようにして航海中にボードが転覆されることを防止し、外部から流入された水も貫通ホール１３から排出するようにする。
【００２２】
また、前記着席ボード１００の着席凹部１１の前部又は後部のどちらか一方に空間部１４が形成され、非常用櫓が保管できるし、飲食品も保管できる。
【００２３】
前記非常用櫓は、航海中に風が吹かない時とか無風地帯に入って航海を続けることができない時に使うためのものである。
【００２４】
また、図６は、本発明による着席ボード胴体の一実施例を示す図であって、底面に屈曲部１５を形成して初級及び中級者とも安全に使用することができる。
【００２５】
前記屈曲部１５は、胴体１０の長手方向に沿って形成されており、速度感より安定感を提供することができる。
【００２６】
また、図７は、本発明による着席ボード１００胴体の他の実施例を示す図であって、底面が平坦になっており、前面を上向きにして速度感を楽しむ熟練のライダーに適合するようになされている。
【００２７】
図８は、本発明による着席ボードにマストが設置された状態を示す側面図であって、上記の着席ボードと同一な構成要素には同一な符号を付与し説明も省略した。
【００２８】
この実施例では、カイトの代わりにマスト４０を設置したことが特徴であり、他の構成要素は一実施例と同一である。
【００２９】
ただし、カイト固定手段３０からフック部材３３の代りに帆（不図示）が長手方向に沿って結合されており、端部が移動部材３２の結合孔３２ａに着脱可能に設けられているマスト４０を設置することが特徴である。
【００３０】
前記マスト４０を着席ボード１００に結合すると、帆による単純航海ができる。
【００３１】
本発明による作用を詳しく説明すると、次のとおりである。
【００３２】
着席ボード１００の着席凹部１１に設置されたカイト固定手段３０によるカイトを設置し、カイティングを楽しむことができる。
【００３３】
この時カイトは、固定バー３１に摺動可能に設置された移動部材３２とフック部材３３に結合され風の方向によってライダーがカイトを調整することができる。
【００３４】
また、着席凹部１１の内側にエアチューブよりなる背中支え１２を設置して航海中のライダーの背中部位の疲れを防止し、前記背中支え１２を休息中に枕として活用できる。
【００３５】
また、航海中に無風地帯に入ると、空間部に保管しておいた櫓を使う。
【００３６】
また、着席凹部１１の内側に、外部の水を受容して循環できるようにする貫通ホール１３が形成され着席ボード１００が安定的に運行できる。
【００３７】
一方、航海中にカイティングが固定されたフック部材３３を取除いて、保管されたマスト４０を移動部材３２の上に結合すると帆を利用して航海することができる
【産業上の利用可能性】
【００３８】
本発明は、着席ボードの胴体を発泡スチロール材質からなり、前記胴体の外側にファイバーグラス材質からなる樹脂層を形成して耐久性を向上させたことである。
【００３９】
また、着席ボードにカイド固定手段、空間部、マストなどを形成してライダーに楽なカイティングを楽しむようにするボードカイティング用着席ボードを提供することにある。
【００４０】
以上、本発明の好適な実施例について詳細に説明したが、本発明は上記実施例に限定されるものではなく、請求の範囲に記載された本発明の範囲内で種々の変形又は変更が可能であり、該変形例又は変更例も又、本発明の範囲内に含まれるものであることは、言うまでもない。
【図面の簡単な説明】
【００４１】
【図１】従来の着席ボードを有するカイトシステムを説明するための図面。
【図２】本発明による着席ボードを示す平面図。
【図３】本発明による着席ボードの側面図。
【図４】本発明による着席ボードのカイト固定手段の一実施例を示す斜視図。
【図５】本発明による着席ボードのカイト固定手段が移動することを示す断面図。
【図６】本発明による着席ボードの胴体の一実施例を示す図面。
【図７】本発明による着席ボードの胴体の他の実施例を示す図面。
【図８】本発明による着席ボードにマストが設置された状態を示す側面図。
【図１】
2007520384.tif 000003
【図２】
2007520384.tif 000004
【図３】
2007520384.tif 000005
【図４】
2007520384.tif 000006
【図５】
2007520384.tif 000007
【図６】
2007520384.tif 000008
【図７】
2007520384.tif 000009
【図８】
2007520384.tif 000010
【国際調査報告】
2007520384.tif 000011